(57)【要約】【課題】高速なセクタ送信制御を実現する。【解決手段】セクタ０、１、２ごとのＰｉｌｏｔ信号のＳＩＲをフレーム又はスロットごとに測定するＰｉｌｏｔ信号ＳＩＲ測定ステップＳ１と、Ｐｉｌｏｔ信号のＳＩＲの大きい順に順次加算して加算値とする加算ステップＳ２と、加算値と所定のしきい値とを比較し加算値が所定のしきい値を超えたら、加算を中止する比較ステップＳ３と、不加算セクタ２からの送信停止を要求する不加算セクタ送信停止要求ステップＳ４と、基地局１２、１３が基地局送信制御信号を受信し、基地局制御装置１１へ送信する基地局送信制御信号送信ステップＳ５と、基地局制御装置１１において、不加算セクタ２からの送信を停止する送信ＯＮ／ＯＦＦ制御信号を送信する送信ＯＮ／ＯＦＦ制御信号送信ステップＳ６と、不加算セクタ２からの送信を停止する不加算セクタ送信停止ステップＳ７と、を備える。【選択図】　　　図３
2004023774.tif 000002
【特許請求の範囲】
【請求項１】
基地局のセクタから送信するＰｉｌｏｔ信号のＳＩＲ（Ｓｉｇｎａｌ　ｔｏ　Ｉｎｔｅｒｆｅｒｅｎｃｅ　Ｒａｔｉｏ）を測定し、前記ＳＩＲの大きい順に順次加算して加算値とし、前記加算値が所定のしきい値を超えたら、加算されなかった前記セクタからの送信を停止することを特徴とするＣＤＭＡ移動通信システムの基地局送信制御システム。
【請求項２】
移動端末と、前記移動端末へＰｉｌｏｔ信号をセクタごとに異なる拡散コードで送信する基地局と、前記基地局を制御する基地局制御装置とを有するＣＤＭＡ移動通信システムの基地局送信制御システムであって、
前記移動端末が、
前記基地局のセクタごとのＰｉｌｏｔ信号のＳＩＲを測定するＰｉｌｏｔ信号ＳＩＲ測定手段と、
前記Ｐｉｌｏｔ信号ＳＩＲ測定手段で測定した前記Ｐｉｌｏｔ信号のＳＩＲの大きい順に順次加算して加算値とする加算手段と、
前記加算値と所定のしきい値とを比較し、前記加算値が前記所定のしきい値を超えたら、加算を中止する比較手段と、
前記セクタのうちで加算されなかった不加算セクタからの送信停止を要求する送信停止信号を含む基地局送信制御信号を送信する不加算セクタ送信停止要求手段と、を備え、
前記基地局制御装置が、
前記不加算セクタからの送信を停止する送信ＯＮ／ＯＦＦ制御信号を前記基地局へ送る送信ＯＮ／ＯＦＦ制御信号送信手段を備え、
前記基地局が、
前記基地局送信制御信号を受信し、前記基地局送信制御信号を前記基地局制御装置へ送信する基地局送信制御信号送信手段と、
前記不加算セクタからの送信を停止する不加算セクタ送信停止手段と、を備えることを特徴とするＣＤＭＡ移動通信システムの基地局送信制御システム。
【請求項３】
基地局のセクタから送信するＰｉｌｏｔ信号のＳＩＲを測定し、前記ＳＩＲが相対的に小さい前記セクタからの送信を停止するように制御することを特徴とするＣＤＭＡ移動通信システムの基地局送信制御システム。
【請求項４】
基地局のセクタから送信するＰｉｌｏｔ信号のＳＩＲを測定し、前記ＳＩＲが最小である前記セクタからの送信を停止するように制御することを特徴とするＣＤＭＡ移動通信システムの基地局送信制御システム。
【請求項５】
前記Ｐｉｌｏｔ信号のＳＩＲが、
スロットまたはフレーム毎に測定されることを特徴とする請求項１から４のいずれかに記載のＣＤＭＡ移動通信システムの基地局送信制御システム。
【請求項６】
前記Ｐｉｌｏｔ信号のＳＩＲが、
前記Ｐｉｌｏｔ信号の強度、前記Ｐｉｌｏｔ信号の受信電力、前記Ｐｉｌｏｔ信号の受信レベル、前記Ｐｉｌｏｔ信号の受信電界強度、前記Ｐｉｌｏｔ信号のＳＩＮＲ（Ｓｉｇｎａｌ　ｔｏ　Ｉｎｔｅｒｆｅｒｅｎｃｅ−ｐｌｕｓ−Ｎｏｉｓｅｐｏｗｅｒ　Ｒａｔｉｏ）、前記Ｐｉｌｏｔ信号のＳＮＲ（Ｓｉｇｎａｌ　ｔｏ　Ｎｏｉｓｅ　Ｒａｔｉｏ）で表現される値を含むことを特徴とする請求項１から５のいずれかに記載のＣＤＭＡ移動通信システムの基地局送信制御システム。
【請求項７】
基地局のセクタから送信するＰｉｌｏｔ信号のＳＩＲを測定するステップと、
前記ＳＩＲの大きい順に順次加算して加算値とするステップと、
前記加算値が所定のしきい値を超えたら、加算されなかった前記セクタからの送信を停止するステップと、
を備えることを特徴とするＣＤＭＡ移動通信システムの基地局送信制御方法。
【請求項８】
基地局のセクタごとのＰｉｌｏｔ信号のＳＩＲを測定する、移動端末におけるＰｉｌｏｔ信号ＳＩＲ測定ステップと、
測定した前記Ｐｉｌｏｔ信号のＳＩＲの大きい順に順次加算して加算値とする、前記移動端末における加算ステップと、
順次加算された前記加算値と所定のしきい値とを比較し、前記加算値が前記所定のしきい値を超えたら加算を中止する、前記移動端末における比較ステップと、前記比較ステップにおいて、加算されない前記セクタである不加算セクタからの送信停止を要求する送信停止信号を含む基地局送信制御信号を送信する、前記移動端末における不加算セクタ送信停止要求ステップと、
前記基地局送信制御信号を受信し、前記基地局送信制御信号を基地局制御装置へ送信する、前記基地局における基地局送信制御信号送信ステップと、
前記不加算セクタからの送信を停止する送信ＯＮ／ＯＦＦ制御信号を前記基地局へ送信する、前記基地局制御装置における送信ＯＮ／ＯＦＦ制御信号送信ステップと、
前記不加算セクタからの送信を停止する、前記基地局における不加算セクタ送信停止ステップと、
を備えることを特徴とするＣＤＭＡ移動通信システムの基地局送信制御方法。
【請求項９】
前記Ｐｉｌｏｔ信号のＳＩＲが、
スロットまたはフレーム毎に測定されることを特徴とする請求項７又は８に記載のＣＤＭＡ移動通信システムの基地局送信制御方法。
【請求項１０】
前記Ｐｉｌｏｔ信号のＳＩＲが、
前記Ｐｉｌｏｔ信号の強度、前記Ｐｉｌｏｔ信号の受信電力、前記Ｐｉｌｏｔ信号の受信レベル、前記Ｐｉｌｏｔ信号の受信電界強度、前記Ｐｉｌｏｔ信号のＳＩＮＲ、前記Ｐｉｌｏｔ信号のＳＮＲで表現される値を含むことを特徴とする請求項７から９のいずれかに記載のＣＤＭＡ移動通信システムの基地局送信制御方法。
【請求項１１】
基地局のセクタから送信されるＰｉｌｏｔ信号のＳＩＲを測定し、前記ＳＩＲの大きい順に順次加算して加算値とし、前記加算値が所定のしきい値を超えたら、加算されなかった前記セクタからの送信停止を前記基地局へ要求することを特徴とするＣＤＭＡ移動通信システムの移動端末。
【請求項１２】
基地局のセクタから送信するＰｉｌｏｔ信号のＳＩＲが、最小である前記セクタからの送信を停止するように前記基地局へ要求することを特徴とするＣＤＭＡ移動通信システムの移動端末。
【請求項１３】
基地局のセクタからのＰｉｌｏｔ信号のＳＩＲを測定するＰｉｌｏｔ信号ＳＩＲ測定手段と、
前記Ｐｉｌｏｔ信号ＳＩＲ測定手段で測定した前記Ｐｉｌｏｔ信号のＳＩＲの大きい順に順次加算して加算値とする加算手段と、
前記加算値と所定のしきい値とを比較し、前記加算値が前記所定のしきい値を超えたら、加算を中止する比較手段と、
前記セクタのうちで加算されなかった不加算セクタからの送信停止を要求する送信停止信号を含む基地局送信制御信号を送信する不加算セクタ送信停止要求手段と、
を備えることを特徴とするＣＤＭＡ移動通信システムの移動端末。
【請求項１４】
前記Ｐｉｌｏｔ信号のＳＩＲが、
スロットまたはフレーム毎に測定されることを特徴とする請求項１１から１３のいずれかに記載のＣＤＭＡ移動通信システムの移動端末。
【請求項１５】
前記Ｐｉｌｏｔ信号のＳＩＲが、
前記Ｐｉｌｏｔ信号の強度、前記Ｐｉｌｏｔ信号の受信電力、前記Ｐｉｌｏｔ信号の受信レベル、前記Ｐｉｌｏｔ信号の受信電界強度、前記Ｐｉｌｏｔ信号のＳＩＮＲ、前記Ｐｉｌｏｔ信号のＳＮＲで表現される値を含むことを特徴とする請求項１１から１４のいずれかに記載のＣＤＭＡ移動通信システムの移動端末。
【請求項１６】
前記所定のしきい値が、
復調に必要な値であることを特徴とする請求項１１又は１３に記載のＣＤＭＡ移動通信システムの移動端末。
【発明の詳細な説明】
【０００１】
【発明の属する技術分野】
本発明は、ＣＤＭＡ移動通信システムに関し、特に回線品質の維持に必要なセクタ以外からの送信を停止させる移動通信システム、ＣＤＭＡ移動通信方法及び移動端末に関する。
【０００２】
【従来の技術】
ＣＤＭＡ（Ｃｏｄｅ　Ｄｉｖｉｓｉｏｎ　Ｍｕｌｔｉｐｌｅ　Ａｃｃｅｓｓ：符号分割多元接続）方式を用いた移動通信システムでは、複数の移動端末と基地局の基地局装置との間の通信において同一の周波数を利用する。同一周波数で出来るだけ多くの移動端末と通信を行うためには、各回線毎に必要最小限の送信電力に制御する必要がある。そのため、個別ＣＨの通信においては特に高速な送信電力制御が行われ、回線容量を増加させようとしている。
【０００３】
一方、同一周波数で呼の切断およびデータの瞬断なしにハンドオーバーするためには、複数のセクタから同一の移動端末に対しデータを送信する必要がある。また、ダイバーシチハンドオーバーの処理には処理時間がかかり、移動端末の受信環境にあわせて高速にハンドオーバーを行なうのは不可能であり、実際は必要以上のセクタを同時にダイバーシチハンドオーバーに加え、ほとんど受信ＳＩＲの得られないセクタからも送信を行なっている。
【０００４】
また、６セクタや７セクタ、それ以上の数のセクタからほぼ同じレベルで信号が受信できるようなエリアにおいては、それぞれのセクタからの信号が独立にフェージングを受ける都合上、高速に各セクタからの受信ＳＩＲが変化し、ハンドオーバーの追加／削除の処理はその変化に追従できない。そのため、全てのセクタダイバーシチハンドオーバーに追加しようとすると、必要以上のセクタから送信を行う結果となり、ますますそのエリアにおける回線品質が劣化してしまう。
【０００５】
【発明が解決しようとする課題】
本発明の目的は、このような高速なハンドオーバーが行なえないことによる回線容量の減少および回線品質の劣化、呼切断の発生等を、防止するため、高速なセクタ送信制御を実現することである。
【０００６】
【課題を解決するための手段】
本発明のＣＤＭＡ移動通信システムの基地局送信制御システムは、基地局のセクタから送信するＰｉｌｏｔ信号のＳＩＲ（Ｓｉｇｎａｌ　ｔｏ　Ｉｎｔｅｒｆｅｒｅｎｃｅ　Ｒａｔｉｏ）を測定し、前記ＳＩＲの大きい順に順次加算して加算値とし、前記加算値が所定のしきい値を超えたら、加算されなかった前記セクタからの送信を停止することを特徴とする。
【０００７】
本発明のＣＤＭＡ移動通信システムの基地局送信制御システムは、移動端末と、前記移動端末へＰｉｌｏｔ信号をセクタごとに異なる拡散コードで送信する基地局と、前記基地局を制御する基地局制御装置とを有するＣＤＭＡ移動通信システムの基地局送信制御システムであって、前記移動端末が、前記基地局のセクタごとのＰｉｌｏｔ信号のＳＩＲを測定するＰｉｌｏｔ信号ＳＩＲ測定手段と、前記Ｐｉｌｏｔ信号ＳＩＲ測定手段で測定した前記Ｐｉｌｏｔ信号のＳＩＲの大きい順に順次加算して加算値とする加算手段と、前記加算値と所定のしきい値とを比較し、前記加算値が前記所定のしきい値を超えたら、加算を中止する比較手段と、前記セクタのうちで加算されなかった不加算セクタからの送信停止を要求する送信停止信号を含む基地局送信制御信号を送信する不加算セクタ送信停止要求手段と、を備え、前記基地局制御装置が、前記不加算セクタからの送信を停止する送信ＯＮ／ＯＦＦ制御信号を前記基地局へ送る送信ＯＮ／ＯＦＦ制御信号送信手段を備え、前記基地局が、前記基地局送信制御信号を受信し、前記基地局送信制御信号を前記基地局制御装置へ送信する基地局送信制御信号送信手段と、前記不加算セクタからの送信を停止する不加算セクタ送信停止手段と、を備えることを特徴とする。
【０００８】
本発明のＣＤＭＡ移動通信システムの基地局送信制御システムは、基地局のセクタから送信するＰｉｌｏｔ信号のＳＩＲを測定し、前記ＳＩＲが相対的に小さい前記セクタからの送信を停止するように制御することを特徴とする。
【０００９】
本発明のＣＤＭＡ移動通信システムの基地局送信制御システムは、基地局のセクタから送信するＰｉｌｏｔ信号のＳＩＲを測定し、前記ＳＩＲが最小である前記セクタからの送信を停止するように制御することを特徴とする。
【００１０】
本発明のＣＤＭＡ移動通信システムの基地局送信制御システムは、前記Ｐｉｌｏｔ信号のＳＩＲが、スロットまたはフレーム毎に測定されることを特徴とする。
【００１１】
本発明のＣＤＭＡ移動通信システムの基地局送信制御システムは、前記Ｐｉｌｏｔ信号のＳＩＲが、前記Ｐｉｌｏｔ信号の強度、前記Ｐｉｌｏｔ信号の受信電力、前記Ｐｉｌｏｔ信号の受信レベル、前記Ｐｉｌｏｔ信号の受信電界強度、前記Ｐｉｌｏｔ信号のＳＩＮＲ（Ｓｉｇｎａｌ　ｔｏ　Ｉｎｔｅｒｆｅｒｅｎｃｅ−ｐｌｕｓ−Ｎｏｉｓｅｐｏｗｅｒ　Ｒａｔｉｏ）、前記Ｐｉｌｏｔ信号のＳＮＲ（Ｓｉｇｎａｌ　ｔｏ　Ｎｏｉｓｅ　Ｒａｔｉｏ）で表現される値を含むことを特徴とする。
【００１２】
本発明のＣＤＭＡ移動通信システムの基地局送信制御方法は、基地局のセクタから送信するＰｉｌｏｔ信号のＳＩＲを測定するステップと、前記ＳＩＲの大きい順に順次加算して加算値とするステップと、前記加算値が所定のしきい値を超えたら、加算されなかった前記セクタからの送信を停止するステップと、を備えることを特徴とする。
【００１３】
本発明のＣＤＭＡ移動通信システムの基地局送信制御方法は、基地局のセクタごとのＰｉｌｏｔ信号のＳＩＲを測定する、移動端末におけるＰｉｌｏｔ信号ＳＩＲ測定ステップと、測定した前記Ｐｉｌｏｔ信号のＳＩＲの大きい順に順次加算して加算値とする、前記移動端末における加算ステップと、順次加算された前記加算値と所定のしきい値とを比較し、前記加算値が前記所定のしきい値を超えたら加算を中止する、前記移動端末における比較ステップと、前記比較ステップにおいて、加算されない前記セクタである不加算セクタからの送信停止を要求する送信停止信号を含む基地局送信制御信号を送信する、前記移動端末における不加算セクタ送信停止要求ステップと、前記基地局送信制御信号を受信し、前記基地局送信制御信号を基地局制御装置へ送信する、前記基地局における基地局送信制御信号送信ステップと、前記不加算セクタからの送信を停止する送信ＯＮ／ＯＦＦ制御信号を前記基地局へ送信する、前記基地局制御装置における送信ＯＮ／ＯＦＦ制御信号送信ステップと、前記不加算セクタからの送信を停止する、前記基地局における不加算セクタ送信停止ステップと、を備えることを特徴とする。
【００１４】
本発明のＣＤＭＡ移動通信システムの基地局送信制御方法は、前記Ｐｉｌｏｔ信号のＳＩＲが、スロットまたはフレーム毎に測定されることを特徴とする。
【００１５】
本発明のＣＤＭＡ移動通信システムの基地局送信制御方法は、前記Ｐｉｌｏｔ信号のＳＩＲが、前記Ｐｉｌｏｔ信号の強度、前記Ｐｉｌｏｔ信号の受信電力、前記Ｐｉｌｏｔ信号の受信レベル、前記Ｐｉｌｏｔ信号の受信電界強度、前記Ｐｉｌｏｔ信号のＳＩＮＲ、前記Ｐｉｌｏｔ信号のＳＮＲで表現される値を含むことを特徴とする。
【００１６】
本発明のＣＤＭＡ移動通信システムの移動端末は、基地局のセクタから送信されるＰｉｌｏｔ信号のＳＩＲを測定し、前記ＳＩＲの大きい順に順次加算して加算値とし、前記加算値が所定のしきい値を超えたら、加算されなかった前記セクタからの送信停止を前記基地局へ要求することを特徴とする。
【００１７】
本発明のＣＤＭＡ移動通信システムの移動端末は、基地局のセクタから送信するＰｉｌｏｔ信号のＳＩＲが、最小である前記セクタからの送信を停止するように前記基地局へ要求することを特徴とする。
【００１８】
本発明のＣＤＭＡ移動通信システムの移動端末は、基地局のセクタからのＰｉｌｏｔ信号のＳＩＲを測定するＰｉｌｏｔ信号ＳＩＲ測定手段と、前記Ｐｉｌｏｔ信号ＳＩＲ測定手段で測定した前記Ｐｉｌｏｔ信号のＳＩＲの大きい順に順次加算して加算値とする加算手段と、前記加算値と所定のしきい値とを比較し、前記加算値が前記所定のしきい値を超えたら、加算を中止する比較手段と、前記セクタのうちで加算されなかった不加算セクタからの送信停止を要求する送信停止信号を含む基地局送信制御信号を送信する不加算セクタ送信停止要求手段と、を備えることを特徴とする。
【００１９】
本発明のＣＤＭＡ移動通信システムの移動端末は、前記Ｐｉｌｏｔ信号のＳＩＲが、スロットまたはフレーム毎に測定されることを特徴とする。
【００２０】
本発明のＣＤＭＡ移動通信システムの移動端末は、前記Ｐｉｌｏｔ信号のＳＩＲが、前記Ｐｉｌｏｔ信号の強度、前記Ｐｉｌｏｔ信号の受信電力、前記Ｐｉｌｏｔ信号の受信レベル、前記Ｐｉｌｏｔ信号の受信電界強度、前記Ｐｉｌｏｔ信号のＳＩＮＲ、前記Ｐｉｌｏｔ信号のＳＮＲで表現される値を含むことを特徴とする。
【００２１】
本発明のＣＤＭＡ移動通信システムの移動端末は、前記所定のしきい値が、復調に必要な値であることを特徴とする。
【００２２】
【発明の実施の形態】
《概要》本発明は、スロットまたはフレーム毎に、各セクタからのＰｉｌｏｔ信号のＳＩＲ（Ｓｉｇｎａｌ　ｔｏ　Ｉｎｔｅｒｆｅｒｅｎｃｅ　Ｒａｔｉｏ：信号対干渉電力比）を測定し、回線品質の維持に必要なセクタ以外からの送信を停止させることにより、回線容量の増加、回線品質の劣化防止、呼切断の防止を行なうものである。
【００２３】
ＣＤＭＡを用いた移動通信システムにおいて、移動端末が個別ＣＨ（トラフィックチャネル）にて通信中に複数のセクタとダイバーシチハンドオーバーを行なっている際に、移動端末は各セクタからのＰｉｌｏｔ信号のＳＩＲを受信フレームまたはスロット毎に算出し、そのＳＩＲを大きい順に順次加算し、その加算値があるしきい値を超えた時点で、それよりもＳＩＲの小さいセクタでの送信を停止する制御を行なうものである。
【００２４】
《構成》図１は、本発明の一実施形態のＣＤＭＡ移動通信システムを示す構成図である。図１を参照すると、本発明に使用される移動通信システムは、基地局制御装置１１と、基地局１２、１３と、移動端末２０とを含んで構成される。
【００２５】
移動端末２０は、周辺の基地局１２、１３からのＰｉｌｏｔ信号をサーチし、そのＰｉｌｏｔ信号のＳＩＲから復調に必要なセクタを選別し、基地局送信制御信号として送信を行なうセクタと行なわないセクタとを指定し、基地局１２、１３に送信する。また、移動端末２０は基地局１２、１３が送信する下り個別ＣＨの復調、上り個別ＣＨの送信も同時に行なう。
【００２６】
基地局１２、１３は、Ｐｉｌｏｔ信号を各セクタ毎に異なる拡散コードで送信している。また、移動端末２０から送信した信号を受信し、基地局制御装置１１に中継する。さらに、基地局制御装置１１が送信する送信ＯＮ／ＯＦＦ制御信号に応じて移動端末２０に対して送信する個別ＣＨの送信を開始／停止する。
【００２７】
基地局制御装置１１は、基地局１２、１３経由で受信した移動端末２０からの基地局送信制御信号を元に送信ＯＮ／ＯＦＦ制御信号を生成し、移動端末２０がダイバーシチハンドオーバーを行なっている基地局１２、１３を含む全ての基地局に送信ＯＮ／ＯＦＦ制御信号を送信する。
【００２８】
図２は、本発明の一実施形態における移動端末２０を示すブロック図である。図２を参照すると、移動端末２０は、アンテナ２１と、送信部２２と、受信部２３と、ベースバンド部２４と、サーチャ２５と、フィンガ２６１、２６２、２６ｎと、制御部２７と、復調部２８と、を含んで構成される。
【００２９】
受信部２３は、アンテナ２１にて受信した高周波信号をベースバンド信号に変換し、サーチャ２５及びフィンガ２６１、２６２、２６ｎに出力する。
【００３０】
サーチャ２５は、受信したベースバンド信号から周辺の基地局１２、１３などが送信するＰｉｌｏｔ信号をサーチし、見つけ出したＰｉｌｏｔ信号の遅延情報及びＰｉｌｏｔ信号ＳＩＲを制御部２７に渡す。サーチャ２５は、このＰｉｌｏｔ信号のＳＩＲをフレーム又はスロットごとに算出する。
【００３１】
フィンガ２６１、２６２、２６ｎは、主に個別ＣＨの逆拡散を行うが、逆拡散に必要なタイミング情報を、サーチャ２５から制御部２７を経由して受け取り、そのタイミングでベースバンド信号に逆拡散をかける。
【００３２】
復調部２８は、フィンガ２６１、２６２、２６ｎが出力した逆拡散結果を合成し、受信データを出力する。
【００３３】
制御部２７は、サーチャ２５からのＰｉｌｏｔ遅延情報及びＰｉｌｏｔ信号ＳＩＲをフィンガ２６１、２６２、２６ｎに設定すると同時に、Ｐｉｌｏｔ信号ＳＩＲの大きい方から順に加算していき、復調に必要な予め設定された所定のしきい値よりもＰｉｌｏｔ信号ＳＩＲの加算値が大きくなるところで加算を中止し、それまでに加算したセクタを送信するセクタ、加算されなかったＰｉｌｏｔ信号ＳＩＲの弱いセクタを送信しないセクタとし、基地局送信制御信号を生成すると共に、基地局送信制御信号をベースバンド部２４に送る。
【００３４】
ベースバンド部２４は、送信データと基地局送信制御信号から送信ベースバンド信号を生成し個別ＣＨの拡散を行ない送信部２２に出力する。
【００３５】
送信部２２は、ベースバンド部２４からの信号を変調し、高周波に周波数変換しアンテナ２１に出力する。
【００３６】
《動作》次に、本発明の実施の形態の動作について図面を参照して説明する。図３は、本発明の一実施形態におけるＣＤＭＡ移動通信システムの動作例を示すフローチャートである。
【００３７】
移動端末２０が、図１のように基地局１２のセクタ０及び基地局１３のセクタ１、セクタ２とダイバーシチハンドオーバーによって接続されている。この時、移動端末２０はそれぞれのセクタからのＰｉｌｏｔ信号を受信しその信号ＳＩＲを受信フレームまたはスロット毎に測定する（Ｐｉｌｏｔ信号のＳＩＲ測定ステップＳ１）。
【００３８】
ある瞬間、各セクタのＰｉｌｏｔ信号ＳＩＲの大きさが、
基地局１２のセクタ０＞基地局１３のセクタ１＞基地局１３のセクタ２
であったとする。次に、ＳＩＲの大きい順に順次加算する（つまり、大きい順に一つずつ加算する）。この場合には、まず、基地局１２のセクタ０のＳＩＲと、基地局１３のセクタ１のＳＩＲとを加算した合計である加算値を求める（加算ステップＳ２）。
【００３９】
次に、基地局１２のセクタ０のＳＩＲと、基地局１３のセクタ１のＳＩＲとの加算値と、予め設定してあったしきい値とを比較する。言い換えれば、大きいＳＩＲの順に順次一つずつ加算するたびに、予め設定してあったしきい値と比較することになる。
【００４０】
ここで、基地局１２のセクタ０のＳＩＲと、基地局１３のセクタ１のＳＩＲとを加算した合計（例えば、ＳＩＲの場合、真数にして加算する）である加算値が、予め設定したしきい値を超える場合、加算を中止し（比較ステップＳ３）、移動端末２０は基地局１２、１３に対し基地局送信制御信号を送信し、基地局１３のセクタ２（つまり、加算の対象にならなかった不加算セクタで、ＳＩＲが相対的に小さいセクタであり、この場合はＳＩＲが最小のセクタである。）の送信停止を要求する（不加算セクタ送信停止要求ステップＳ４）。なお、基地局１２のセクタ０のＳＩＲと、基地局１３のセクタ１のＳＩＲとを加算して加算値を求めた時点で、予め設定した所定のしきい値を超えたので、基地局１３のセクタ２のＳＩＲは加算しない。
【００４１】
移動端末２０の送信した基地局送信制御信号は基地局１２、１３を介して基地局制御装置１１に送られる（基地局送信制御信号送信ステップＳ５）。
【００４２】
一方、ダイバーシチハンドオーバー中の移動端末２０の送信する信号はＣｌｏｓｅｄ　Ｌｏｏｐによる電力制御が行なわれているため、ハンドオーバーに含まれるすべての基地局装置で受信できる訳ではなく、最低どこか１つの基地局のひとつのセクタで受信されることとなる。
【００４３】
そのため、移動端末２０の送信する基地局送信制御信号は一旦、基地局制御装置１１まで送られ、その信号を受信した基地局制御装置１１がハンドオーバー中の基地局装置（ここでは基地局１２及び基地局１３）に対し送信ＯＮ／ＯＦＦ制御信号を送信する（送信ＯＮ／ＯＦＦ制御信号送信ステップＳ６）。送信ＯＮ／ＯＦＦ制御信号を受信した基地局１２、１３は、移動端末２０への個別ＣＨでの送信を開始及び／又は停止する。この例では、送信ＯＮ／ＯＦＦ制御信号には基地局１３のセクタ２の送信を停止するように指定されており、その結果、基地局１３のセクタ２の送信が停止される（不加算セクタ送信停止ステップＳ７）。以上、説明した送信ＯＮ／ＯＦＦ制御信号によるセクタの送信制御は、通話中も連続して行われる。
【００４４】
従って、移動端末２０にてダイバーシチハンドオーバーに含まれる基地局装置の各セクタからのＰｉｌｏｔ信号のＳＩＲを測定し、ダイバーシチハンドオーバーに含まれる全てのセクタで送信しなくとも個別ＣＨの復調に必要なＳＩＲが得られることがＰｉｌｏｔ信号のＳＩＲの計算により判別し、移動端末２０から基地局制御装置１１に対して送信が必要ないセクタへの送信停止制御を行い、その制御をうけた基地局制御装置１１が基地局１２、１３に対し送信停止の制御を行うことで、移動端末２０に対する不必要な送信がなくなり、その結果、移動端末２０以外の他の移動端末への干渉が減り、全体としての回線容量の増加につながる。つまり、Ｐｉｌｏｔ信号のＳＩＲが、相対的に小さいセクタからの送信を停止するように制御するものである。
【００４５】
また、必要以上のセクタからの信号が受信できてしまうような場所で発生する、ダイバーシチハンドオーバーのセクタ追加／削除の処理速度が遅いことによる呼切断に対し、全てのセクタをダイバーシチハンドオーバーに加えつつ、スロットまたはフレーム毎に送信させるセクタの制御が行なえるので呼切断が発生しにくくなる効果がある。
【００４６】
次に図２を用いて移動端末２０の動作を説明する。
【００４７】
基地局１２、１３が送信した高周波信号は、移動端末２０のアンテナ２１で受信され、受信部２３で周波数変換され、ベースバンド信号に変換された後、サーチャ２５及びフィンガ２６１、２６２、２６ｎに出力される。ベースバンド信号を入力されたサーチャ２５は、その信号からＰｉｌｏｔをサーチしそのＰｉｌｏｔ遅延情報及びＰｉｌｏｔ信号ＳＩＲを制御部２７に送る。
【００４８】
制御部２７では、サーチャ２５からのＰｉｌｏｔ信号のＳＩＲのうち、現在ハンドオーバーに含まれている基地局からのＰｉｌｏｔ信号ＳＩＲを大きい順に加算し、その加算値があらかじめ設定してある所定のしきい値を超えた時点で、それまでの基地局（セクタ）を送信有効にする基地局（セクタ）、それよりもＳＩＲの小さい基地局（セクタ）を送信停止にする基地局（セクタ）とし、それらの情報を元に基地局送信制御信号を生成する。
【００４９】
基地局送信制御信号は、ベースバンド部２４にて送信信号を生成する際にあらかじめ指定された位置に基地局送信制御信号として挿入される。生成された送信信号は更にベースバンド部２４あにて拡散され、送信ベースバンド信号として送信部２２に出力される。
【００５０】
送信部２２では、入力された送信ベースバンド信号を変調し高周波に周波数変換しアンテナ２１に出力する。アンテナ２１に入力された高周波信号は空中に信号を送信する。
【００５１】
移動端末２０は、以上説明した一連の動作をフレームまたはスロットごとに行うことで高速なセクタ送信制御を実現する。
【００５２】
Ｐｉｌｏｔ信号のＳＩＲを加算することで説明したが、ＳＩＲの他に、強度、受信電力、受信レベル、受信電界強度、ＳＩＮＲ（Ｓｉｇｎａｌ　ｔｏ　Ｉｎｔｅｒｆｅｒｅｎｃｅ−ｐｌｕｓ−Ｎｏｉｓｅｐｏｗｅｒ　Ｒａｔｉｏ：信号対干渉電力＋雑音電力比）、ＳＮＲ（Ｓｉｇｎａｌ　ｔｏ　Ｎｏｉｓｅ　Ｒａｔｉｏ：信号対雑音比）などで表現される値も含まれる。
【００５３】
【発明の効果】
第１の効果は、移動通信システム全体の回線容量を増加させられるということである。その理由は、ダイバーシチハンドオーバー中の移動端末が、回線品質の維持に必要のないセクタを各セクタからＰｉｌｏｔ信号のＳＩＲから判別し、そのセクタからの送信をスロットまたはフレーム毎に制御することによって、基地局のセクタからの不必要な送信を抑制できるからである。
【００５４】
第２の効果は、たくさんのセクタからの信号が受信できるにもかかわらず発生する呼切断を防ぐことである。その理由は、たくさんのセクタから同じようなレベルで移動端末に信号が到達するようなエリアにおいて、フェージングの影響で常に最も強く受信できるセクタが変化し、この変化の速度にダイバーシチハンドオーバーのセクタ追加／削除が間に合わず発生してしまう呼切断に対し、受信できうる全てのセクタをダイバーシチハンドオーバーに加えつつ、スロットまたはフレーム毎に各セクタからのＰｉｌｏｔ信号のＳＩＲを測定し、その時に強いセクタから順に必要なセクタだけ送信を行ない、その他のセクタからの送信を停止することによって、擬似的に高速なハンドオーバーが行なえることとなり、呼切断を防ぐことができるからである。
【図面の簡単な説明】
【図１】本発明の一実施形態のＣＤＭＡ移動通信システムを示す構成図である。
【図２】本発明の一実施形態における移動端末を示すブロック図である。
【図３】本発明の一実施形態におけるＣＤＭＡ移動通信システムの動作例を示すフローチャートである。
【符号の説明】
１１　　基地局制御装置
１２、１３　　基地局
２０　　移動端末
２１　　アンテナ
２２　　送信部
２３　　受信部
２４　　ベースバンド部
２５　　サーチャ
２６１、２６２、２６ｎ　　フィンガ
２７　　制御部
２８　　復調部
【図１】
2004023774.tif 000003
【図２】
2004023774.tif 000004
【図３】
2004023774.tif 000005